(57)【要約】【課題】捕虫器において、器具下方に誘虫光を配光して器具下方の虫を捕獲し、さらには、誘虫ランプ特有の青色光が目視されないようにして、捕虫器の設置が人に認知され難くする。【解決手段】捕虫器１は、誘虫ランプ２と、誘虫ランプ２の少なくとも下方を覆うランプカバー４とを備える。ランプカバー４は光学フィルタ部材で構成される。この光学フィルタ部材は、紫外線のうち略３６０ｎｍ以上３７０ｎｍ以下の波長の光の最大透過率が略６０％以上で、且つ、青色光の最大透過率が１０％以下の特性を有する。このため、誘虫光である紫外線はランプカバー４を透過し、器具下方に配光される。従って、器具下方の虫を誘引して捕獲することができる。また、上記光学フィルタ部材により、青色光の光量を低減できるので、誘虫ランプ特有の青色光が人に目視されないようにできる。その結果、捕虫器１の設置を人に認知され難くすることができる。【選択図】図１
2008154499.tif 000002
【特許請求の範囲】
【請求項１】
虫を誘引する紫外線を含有した光を照射する光源と、前記光源により誘引された虫を捕獲する捕虫手段と、前記光源の少なくとも下方を覆う筐体と、を備えた捕虫器において、
前記筐体は、前記光源から照射された光が通る光学フィルタ部材により形成され、
前記光学フィルタ部材は、略３６０ｎｍ以上３７０ｎｍ以下の波長の光の最大透過率が略６０％以上で、且つ、略４００ｎｍ以上４５０ｎｍ以下の波長の光の最大透過率が１０％以下の特性を有することを特徴とする捕虫器。
【請求項２】
前記筐体には、略４００ｎｍ以上４５０ｎｍ以下の波長の光により励起されて略４５０ｎｍより長波長の可視光又は赤外光を発光する蛍光体が塗布されていることを特徴とする請求項１に記載の捕虫器。
【請求項３】
前記筐体には、前記光源を外部から視認可能とする確認用開口が設けられていることを特徴とする請求項１又は請求項２に記載の捕虫器。
【請求項４】
前記確認用開口には、略３００ｎｍ以上４５０ｎｍ以下の波長の光により励起されて可視光を発光する蛍光体が塗布された透光性部材が設けられていることを特徴とする請求項３に記載の捕虫器。
【発明の詳細な説明】
【技術分野】
【０００１】
本発明は、虫を誘引する光を照射し、誘引された虫を捕獲する捕虫器に関する。
【背景技術】
【０００２】
従来より、捕虫器は、虫が誘引される光（以下、誘虫光という）を出射する誘虫ランプを備える。この誘虫ランプは、特に飛翔昆虫を誘引対象としている。図５は、虫のすう光特性を示す。虫は、略３６０〜３７０ｎｍの波長の光すなわち紫外線に誘引される。すなわち、紫外線は誘虫光に含まれる。このため、誘虫ランプは、紫外線を含有した光を出射するように構成されている。図６は、一般的な誘虫ランプの出射光の周波数成分を示す。一般的な誘虫ランプの出射光は、紫外線と青色光とを主要成分として含んでいる。
【０００３】
そこで、誘虫ランプ特有の青色光により捕虫器の設置が人に知られることを防ぐため、誘虫ランプ及び照明ランプと、誘虫ランプ及び捕虫シートを収納するランプカバーとを備えた捕虫装置が知られている（例えば、特許文献１参照）。この捕虫装置は、誘引された虫を捕獲する捕虫シートをさらに備える。ランプカバーは、上面に開口部を有し、誘虫ランプ、照明ランプ及び捕虫シートの下方を覆っており、非透光性材料から成る。
【０００４】
上記の照明ランプは例えば白色蛍光ランプから成り、白色蛍光ランプから発せられる光は、各色光の成分を含む。ランプカバーの開口部からは、誘虫ランプの光と白色蛍光ランプの光の合成光が出射される。従って、誘虫ランプ特有の光色である青色が、白色蛍光ランプの可視光により緩和される。このため、人間の目は、ランプカバーから出射された光のうち、特に、照明ランプが発する可視光に反応する。一方、虫は、ランプカバーから出射された光のうち、特に、誘虫ランプから出射された青色光及び紫外線に反応し、ランプカバー内に誘引される。誘引された虫は、ランプカバー内に配置された捕虫シートに捕獲される。この捕虫装置を、例えば飲食店や食品小売店等の清潔さが求められる店舗の壁等に設置した場合、ランプカバーにより、２種類のランプ及び捕虫シートの隠匿や、捕殺した虫の落下防止を図ることができる。
【０００５】
しかしながら、上記の捕虫装置においては、非透光性材料から成るランプカバーにより、誘虫ランプ下方が覆われているので、誘虫光の照射範囲が制限され、装置下方に誘虫光を配光することができない。このため、装置下方の昆虫を捕獲できない。また、誘虫ランプ及び照明ランプの２種類のランプが設けられており、これらはずらして配置されるので、天井面等の照射面に、誘虫ランプの青色光のみが照射される領域が生じることがあり、その光色により捕虫器があることを知られる。
【特許文献１】特開２００６−１４９２５２号公報
【発明の開示】
【発明が解決しようとする課題】
【０００６】
本発明は、上記の従来の問題を解決するためになされたものであり、器具下方に誘虫光を配光して器具下方の虫を捕獲可能とし、さらには、誘虫ランプ特有の青色光が目視されないようにして、捕虫器の設置が人に認知され難くした捕虫器を提供することを目的とする。
【課題を解決するための手段】
【０００７】
上記目的を達成するために請求項１の発明は、虫を誘引する紫外線を含有した光を照射する光源と、前記光源により誘引された虫を捕獲する捕虫手段と、前記光源の少なくとも下方を覆う筐体と、を備えた捕虫器において、前記筐体は、前記光源から照射された光が通る光学フィルタ部材により形成され、前記光学フィルタ部材は、略３６０ｎｍ以上３７０ｎｍ以下の波長の光の最大透過率が略６０％以上で、且つ、略４００ｎｍ以上４５０ｎｍ以下の波長の光の最大透過率が１０％以下の特性を有するものである。
【０００８】
請求項２の発明は、請求項１に記載の捕虫器において、前記筐体には、略４００ｎｍ以上４５０ｎｍ以下の波長の光により励起されて略４５０ｎｍより長波長の可視光又は赤外光を発光する蛍光体が塗布されているものである。
【０００９】
請求項３の発明は、請求項１又は請求項２に記載の捕虫器において、前記筐体には、前記光源を外部から視認可能とする確認用開口が設けられているものである。
【００１０】
請求項４の発明は、請求項３に記載の捕虫器において、前記確認用開口には、略３００ｎｍ以上４５０ｎｍ以下の波長の光により励起されて可視光を発光する蛍光体が塗布された透光性部材が設けられているものである。
【発明の効果】
【００１１】
請求項１の発明によれば、光源の下方を覆う筐体は、誘虫光である略３６０ｎｍ以上３７０ｎｍ以下の波長の光を通す光学フィルタ部材で構成されるので、誘虫光を器具下方に配光することができる。このため、器具下方の虫を誘引して捕獲することができる。また、光学フィルタ部材により、波長が略４００ｎｍ以上４５０ｎｍ以下である青色光の光量を低減できるので、誘虫ランプ特有の青色光が人に目視されないようにできる。従って、捕虫器の設置を人に認知され難くすることができる。
【００１２】
請求項２の発明によれば、蛍光体が可視光を発光する場合、蛍光体は青色光とは別の色の光を出射するので、捕虫器の照射光の色は、蛍光体の発光色と、光学フィルタ部材によりカットされなかった誘虫ランプ特有の青色光の光色との混色となり、その結果、捕虫器が在ることを人に認知し難くすることができる。また、蛍光体が赤外光を発光する場合、赤外光は目に見えないので好ましい。
【００１３】
請求項３の発明によれば、確認用開口から照射される誘虫ランプの光により、誘虫ランプの点灯／消灯状態が目視で確認できる。このため、誘虫ランプが不点灯状態にあって捕虫器の捕虫性能が落ちていることを早く認知することができる。従って、捕虫器の性能低下を認知したときに誘虫ランプを交換することにより、捕虫性能の維持を図ることができる。
【００１４】
請求項４の発明によれば、蛍光体は青色光により励起されて可視光を発光するものであるため、透光性部材から外部に照射される光を、蛍光体の材料を調整することにより、誘虫ランプ特有の青色光ではなく他の光色の可視光にすることができる。このため、捕虫器が在ることを人に認知され難くしつつ、捕虫性能の維持を図ることができる。
【発明を実施するための最良の形態】
【００１５】
以下、本発明の各種実施形態に係る捕虫器について図面を参照して説明する。
（第１の実施形態）
図１（ａ）（ｂ）は、本発明の第１の実施形態に係る捕虫器の構成を示す。この捕虫器１は、誘虫光を出射する誘虫ランプ２（光源）と、誘虫ランプ２により誘引された虫を捕獲する捕虫シート３（捕虫手段）と、誘虫ランプ２及び捕虫シート３を収納するランプカバー４と、誘虫ランプ２を点灯制御する安定器５と、を備える。誘虫ランプ２の出射光の主要成分は、虫を誘引する効果を有する紫外線と青色光である。捕虫シート３は、粘着性の有る粘着面を有する。ランプカバー４は、横長で、且つ、上面に上部開口４ａを有する筐体により構成される。この捕虫器１は、前方、上方及び下方（同図（ｂ）において図中左方向、上方向、下方向）に誘虫光を照射するものであり、背面側が壁面等に固定される。以下、捕虫器１の各部品の構成を詳述する。
【００１６】
誘虫ランプ２は、例えば蛍光灯形であり、ランプカバー４の長手方向と平行で、且つ、ランプカバー４内に例えば１灯設置されている。誘虫ランプ２は、不図示のソケットと接続されており、そのソケットは安定器５と電気的に接続されている。安定器５は、誘虫ランプ２のランプ電流及び誘虫ランプ２に対する印加電圧の制御を行ない、商用電源から供給された電力に基づいて誘虫ランプ２を点灯制御する。
【００１７】
ランプカバー４は、前面部４１から底部４２にかけて、外側に凸となるような断面視円弧状に湾曲形成されている。底部４２の後端部には、背面部４３が垂設されている。このランプカバー４は、誘虫ランプ２の側方（図１（ｂ）において図中左右方向）と下方とを覆っている。背面部４３の内側には捕虫シート３が固定され、背面部４３の外側には安定器５が配置されている。
【００１８】
また、ランプカバー４を構成する筐体は、誘虫ランプ２の出射光を通す光学フィルタ部材により形成されている。この光学フィルタ部材は、紫外線のうち略３６０ｎｍ以上３７０ｎｍ以下の波長の光の最大透過率が略６０％以上である特性を有する。さらに、光学フィルタ部材は、略４００ｎｍ以上４５０ｎｍ以下の波長の光すなわち青色光の最大透過率が１０％以下である特性を有する。このため、このランプカバー４により、誘虫ランプ２の出射光の主要成分である紫外線及び青色光のうち、紫外線を殆んど減衰させずに透過し、青色光を減衰させてその光量を低減することができる。この光学フィルタ部材は、３３０ｎｍ、３４０ｎｍ又は３６０ｎｍの波長の紫外線に対する透過率が最大である紫外線透過ガラス（以下、それぞれの紫外線透過ガラスをガラスＵ３３０、Ｕ３４０、Ｕ３６０という）や、ガラスＵ３３０、Ｕ３４０又はＵ３６０を粉末状にし、それらをバインダに混ぜることにより作製された塗料が塗布された樹脂性部材により構成される。上記のバインダの材料は、例えばシリコン等の紫外線透過樹脂であり、樹脂製部材の材料は、例えばアクリルである。
【００１９】
上記構成において、誘虫ランプ２からその側方及び下方に放射された光のうち、青色光は、ランプカバー４によりその光量が低減される。このため、誘虫ランプ特有の青色光が目視されないようにできる。従って、捕虫器１の設置を人に認知され難くすることができる。一方、波長が略３６０〜３７０ｎｍの紫外線は、ランプカバー４を透過し、捕虫器１の前方及び下方に配光される。上記図５に示されるように、虫は、該波長の紫外線に反応して誘引される。従って、捕虫器１の下方にいる虫は方向性の在る運動をし、捕虫器１に向けて飛翔する。さらに、その虫は、ランプカバー４の上部開口４ａからランプカバー４内に侵入する。侵入した虫のうち、捕虫シート３と接触した虫は、その粘着面により捕獲される。このように、捕虫器１の設置を人に認知され難くしつつ、捕虫器１下方の虫を捕獲することができる。
【００２０】
また、従来技術のように２種類のランプを１灯ずつ備える場合、コストが増加すると共に、それぞれのランプの寿命が異なるため交換頻度が増えるので、捕虫器の管理に係る手間が増えるが、捕虫器１はランプの数が１種類で且つ１灯であるので、コストの低減を図ると共に、交換頻度を減らすことができる。このため、捕虫器１の管理に係る手間を減らすことができる。
【００２１】
（第２の実施形態）
図２は、本発明の第２の実施形態に係る捕虫器１の構成を示す。図面において、同一の部材には同一の符号を付す。本実施形態の捕虫器１は、第１の実施形態と比べ、ランプカバー４の一部に蛍光体６が塗布されている点で異なる。蛍光体６は、ランプカバー４の前面部４１から底部４２にかけて、誘虫ランプ２側に塗布されている。
【００２２】
蛍光体６は、誘虫ランプ２の出射光のうち、略４００ｎｍ以上４５０ｎｍ以下の波長の光すなわち青色光により励起され、略４５０ｎｍより長波長の可視光又は赤外光を発光する。すなわち、蛍光体６が可視光を発光する場合、その光色は青色以外の色である。蛍光体６は、例えば、特許第３７６３７１９号公報に記載の蛍光体で構成される。蛍光体６により発せられた可視光又は赤外光は、ランプカバー４を透過し、捕虫器１の前方及び下方に出射される。
【００２３】
蛍光体６が可視光を発光する場合、蛍光体６は青色光とは別の色の可視光を出射するので、捕虫器１の照射光の色は、蛍光体６の発光色と、ランプカバー４によりカットされなかった誘虫ランプ特有の青色光の光色との混色となる。従って、ランプカバー４に蛍光体６を塗布することにより、青色光をより目視し難くすることができる。また、蛍光体６の材料を調整してその発光色を色調整することにより、捕虫器１の照射光の光色を白色にできる。従って、捕虫器１を一般の照明器具に擬装できる。また、1灯のランプにより、１台の捕虫器１から、可視光と誘虫効果の高いＵＶ−Ａ波（長波長紫外線）等の紫外線とを照射できるので、従来技術のように２灯以上のランプを組み合わせる場合と比べ、照射面の色むらをなくすことができる。さらに、ランプ数が減るので、ランプを制御する安定器５の回路構成を簡単にでき、さらに回路素子数を減らすことができる。このため、安定器５のコストを抑制できる。従って、捕虫器１のコストを低減できる。一方、蛍光体６が赤外光を発光する場合、赤外光は目に見えないので好ましい。また、捕虫器１を額や時計等の全く異なる什器に自然な形で偽装できる。なお、本実施形態においても、第１の実施形態と同じ効果を得ることができる。
【００２４】
（第３の実施形態）
図３（ａ）（ｂ）は、本発明の第３の実施形態に係る捕虫器１の構成を示す。この捕虫器１は、上記第２の実施形態に係る捕虫器１のランプカバー４に、誘虫ランプ２を確認するための確認用開口７が形成されたものである。確認用開口７は、ランプカバー４及び蛍光体６を貫通しており、誘虫ランプ２を外部から視認可能とするものである。確認用開口７の形状は、例えば円状である。この確認用開口７は、ランプカバー４の底部４２付近に形成されている。
【００２５】
従って、本実施形態においては、第２の実施形態による効果を奏することができると共に、確認用開口７から照射される誘虫ランプ２の光（破線矢印で示す）により、誘虫ランプ２の点灯／消灯状態が目視で確認できる。このため、誘虫ランプ２が不点灯状態にあって捕虫器１の捕虫性能が落ちていることを早く認知することができる。従って、捕虫器１の性能低下を認知したときに誘虫ランプ２を交換することにより、捕虫性能の維持を図ることができる。
【００２６】
（第４の実施形態）
図４（ａ）（ｂ）は、本発明の第４の実施形態に係る捕虫器１の構成を示す。この捕虫器１は、上記第３の実施形態に係る捕虫器１と比べ、確認用開口７の形状及び位置が異なり、さらに、その確認用開口７に透光性部材８が設けられたものである。確認用開口７は、正面視で縦長の矩形状であり、前面部４１の上端から中央付近にかけて形成されている。
【００２７】
透光性部材８は、板状であり、例えば透明ガラスや透明樹脂等の透明部材により構成される。この透光性部材８の誘虫ランプ２側には、略３００ｎｍ以上４５０ｎｍ以下の波長の光により励起され、青色以外の色の可視光を発光する蛍光体９が塗布されている。従って、蛍光体９は、例えば誘虫ランプ特有の光で、波長が略４００〜４５０ｎｍである青色光（破線矢印で示す）により励起され、可視光を発光する。蛍光体９発光の可視光（実線矢印で示す）は、透光性部材８を通して、捕虫器１外部に出射される。蛍光体９の発光量は、誘虫ランプ２の発光量に応じて増減する。
【００２８】
従って、本実施形態においては、第２の実施形態による効果を奏することができると共に、透光性部材８から照射される可視光により、誘虫ランプ２の点灯／消灯状態が目視で確認できる。このため、第３の実施形態と同様に、捕虫性能の維持を図ることができる。また、蛍光体９の材料を調整することにより、蛍光体９の発光色を調整することができ、その色を例えば青色以外の色にできる。このため、確認用開口７すなわち透光性部材８から外部に照射される光を、誘虫ランプ特有の青色光ではなく他の光色の可視光にすることができる。その結果、捕虫器１が設置を人に認知され難くしつつ、捕虫性能の維持を図ることができる。
【００２９】
本発明は、上記第１乃至第４の実施形態の構成に限定されるものでなく、使用目的に応じ、様々な変形が可能である。例えば、捕虫シート３の位置は上記に限定されず、捕虫シート３は、ランプカバー４の前面部４１又は底部４２の内側に配置されていてもよい。また、蛍光体６、９は、ランプカバー４又は透光性部材８の誘虫ランプ２側ではなく、その反対側に塗布されていても構わない。また、蛍光体６、９は、同一色の光を発光してもよい。また、蛍光体６、９は、同一材料から成るものであっても構わない。また、確認用開口７の形状は、円状に限定されず、楕円状、矩形状又は多角形状等であってもよい。また、確認用開口７の形成位置は、ランプカバー４の前面部４１又は底部４２のどちらであっても構わない。
【図面の簡単な説明】
【００３０】
【図１】（ａ）は本発明の第１の実施形態に係る捕虫器の斜視図、（ｂ）はその断面図。
【図２】本発明の第２の実施形態に係る捕虫器の断面図。
【図３】（ａ）は本発明の第３の実施形態に係る捕虫器の斜視図、（ｂ）はその断面図。
【図４】（ａ）は本発明の第４の実施形態に係る捕虫器の断面図、（ｂ）はその断面図。
【図５】虫のすう光特性図。
【図６】誘虫ランプの出射光の周波数成分を示す図。
【符号の説明】
【００３１】
１  捕虫器
２  誘虫ランプ（光源）
３  捕虫シート（捕虫手段）
４  ランプカバー（筐体）
６、９  蛍光体
７  確認用開口
８  透光性部材
【図１】
2008154499.tif 000003
【図２】
2008154499.tif 000004
【図３】
2008154499.tif 000005
【図４】
2008154499.tif 000006
【図５】
2008154499.tif 000007
【図６】
2008154499.tif 000008